(57)【要約】【課題】閉ループトポロジーに適用可能な光伝送装置に関し、ノードの起動を容易にすることが主な課題である。【解決手段】本発明による装置は、複数の光信号を波長分割多重して得られたＷＤＭ信号光に適用可能な光ファイバ２を用いた閉ループトポロジーと、閉ループトポロジーに沿って設けられ各々光増幅器６を含む複数のノード４とを備えている。各ノードは、直上流側のノードから当該ノードに伝送されたＷＤＭ信号光のチャネル数に応じて光増幅器の出力が一定になるように前記光増幅器を制御する第１の手段と、第１のステップによる制御が収束するまで、当該ノードで加えられる単一又は複数の光信号以外の光信号が当該ノードから出力されなくなるように光信号を遮断する第２の手段とを含む。【選択図】　　　　図３
2004056245.tif 000002
【特許請求の範囲】
【請求項１】
伝送路中に挿入され波長分割多重された光信号を分岐・挿入する光伝送装置において、
直上流側のノードから当該ノードに伝送されたＷＤＭ信号光のチャネル数に応じて光増幅器の出力が一定になるように制御し、
前記光増幅器の出力が一定に引き込まれるまで上流からの光信号を下流に出力しないことを特徴とする光伝送装置。
【請求項２】
伝送路中に挿入され波長分割多重された光信号を分岐・挿入する光伝送装置において、
上流側のノードから当該ノードに伝送されたＷＤＭ信号光のチャネル数に応じて光増幅器の出力が一定になるように前記光増幅器を制御し、
前記波長分割多重された光信号のチャネル数が変化したときに出力一定制御を中止し所定の時間が経過した後に前記光増幅器の出力一定制御を再開することを特徴とする光伝送装置。
【請求項３】
光伝送路に接続された波長分割多重光を分岐・挿入する光伝送装置において、
該光伝送路からの光を増幅する第１の光増幅器と、
該第１の光増幅器の出力を複数の波長に分ける光デマルチプレクサと、
該光デマルチプレクサで分離された波長の光と挿入する光を入力し分岐・挿入か通過を切換える光スイッチと、
該光スイッチからの出力を増幅する第２の光増幅器と、
上流からの波長分割多重光のチャネル数に従って該第１の光増幅器の出力が一定になるように制御し、該第１の光増幅器の出力が一定に引き込まれるまでの間は該光スイッチによる挿入光以外を遮断する制御装置とを備えた光伝送装置。
【請求項４】
光伝送路に接続された波長分割多重光を分岐・挿入する光伝送装置において、
該光伝送路からの光を増幅する第１の光増幅器と、
該第１の光増幅器の出力を複数の波長に分ける光デマルチプレクサと、
該光デマルチプレクサで分離された波長の光と挿入する光を入力し分岐・挿入か通過を切換える光スイッチと、
該光スイッチからの出力を増幅する第２の光増幅器と、
上流からの波長分割多重光のチャネル数に従って該第１の光増幅器の出力が一定になるように制御し、前記波長分割多重光のチャネル数が変化したときに該第１の光増幅器の出力を一定にする制御を中止し、所定の時間が経過した後に再開する制御装置とを備えた光伝送装置。
【発明の詳細な説明】
【０００１】
【発明の属する技術分野】
本発明は閉ループトポロジーに適用可能な光伝送装置に関する。
【０００２】
【従来の技術】
近年、低損失（例えば０．２ｄＢ／ｋｍ）な石英系の光ファイバの製造技術及び使用技術が確立され、光ファイバを伝送路とする光通信システムが実用化されている。また、光ファイバにおける損失を補償して長距離の伝送を可能にするために、光信号又は信号光を増幅するための光増幅器が実用に供されている。
【０００３】
従来知られているのは、増幅されるべき信号光が供給される光増幅媒体と、光増幅媒体が信号光の波長を含む利得帯域を提供するように光増幅媒体をポンピング（励起）するポンピングユニットとから構成される光増幅器である。
【０００４】
例えば、石英系ファイバで損失が小さい波長１．５５μｍ帯の信号光を増幅するために、エルビウムドープファイバ増幅器（ＥＤＦＡ）が開発されている。ＥＤＦＡは、光増幅媒体としてエルビウムドープファイバ（ＥＤＦ）と、予め定められた波長を有するポンプ光をＥＤＦに供給するためのポンプ光源とを備えている。０．９８μｍ帯あるいは１．４８μｍ帯の波長を有するポンプ光を用いることによって、波長１．５５μｍを含む利得帯域が得られる。
【０００５】
光ファイバによる伝送容量を増大させるための技術として、波長分割多重（ＷＤＭ）がある。ＷＤＭが適用されるシステムにおいては、異なる波長を有する複数の光キャリアが用いられる。各光キャリアを独立に変調することによって得られた複数の光信号が光マルチプレクサにより波長分割多重され、その結果得られたＷＤＭ信号光が光ファイバ伝送路に送出される。受信側では、受けたＷＤＭ信号光が光デマルチプレクサによって個々の光信号に分離され、各光信号に基づいて伝送データが再生される。従って、ＷＤＭを適用することによって、多重数に応じて１本の光ファイバにおける伝送容量を増大させることができる。
【０００６】
このように、光増幅器を線形中継器として用いることによって、従来の再生中継器を用いる場合と比較して、中継器内における部品点数を大幅に削減して、信頼性を確保すると共に、大幅なコストダウンが可能になる。
【発明が解決しようとする課題】
【０００７】
このように基幹線路へのＷＤＭの導入は近年盛んに実施されており、そのネットワークトポロジーとしてはリング形態、即ち閉ループトポロジーが一般的である。しかしながら、基幹線路の高速化に対して、都市部など中距離ネットワーク（メトロポリタンネットワーク）の領域ではＷＤＭの導入は遅れており、単一波長による光通信システムあるいはメタルケーブルによる電気通信システムがいまだに主流である。このため、インターネットの普及や通信のブロードバンド化に伴い、メトロポリタンネットワークへのＷＤＭの導入の要求が高まっている。
【０００８】
メトロポリタンネットワークは、通常、閉ループトポロジーに沿って複数のノードを設けて構成される。これは、線路断線などの障害発生時においても安定な通信環境を提供することができるようにするためである。
【０００９】
一般的には、閉ループトポロジーでは、ＷＤＭの特徴を生かして、各ノードで任意の単一又は複数の光信号のアッド・ドロップが行われる。そのために光スイッチなどのデバイスが多用され、そこでの損失を補償するために各ノードは光増幅器を含む。その光増幅器は、ノードを通過する光信号の波長とアッド・ドロップする光信号の波長の違いやチャネル数の変化などに対応することができるように設計されている。また、伝送路の損失偏差を許容するために、必要とされる出力を維持するための出力一定制御（Ａｕｔｏｍａｔｉｃ　Ｌｅｖｅｌ　Ｃｏｎｔｒｏｌ：ＡＬＣ）も必要になる。
【００１０】
ＡＬＣを行う場合、その光増幅器に入力するＷＤＭ信号光のチャネル数を把握しておく必要があるので、チャネル数に関する情報を含む監視信号が上流側のノードから下流側のノードに伝送される。しかし、システムの立ち上げ時（コールドスタート時）にはアッド・ドロップのチャネル数などが定まらないのでチャネル数に関する情報が確定せずに、ノードの起動に手間がかかるという問題がある。
【００１１】
よって、本発明の目的は、ノードの起動などが容易で閉ループトポロジーに適用可能な光伝送装置を提供することである。
【００１２】
【課題を解決するための手段】
本発明によると、伝送路中に挿入され波長分割多重された光信号を分岐・挿入する光伝送装置において、直上流側のノードから当該ノードに伝送されたＷＤＭ信号光のチャネル数に応じて光増幅器の出力が一定になるように制御し、前記光増幅器の出力が一定に引き込まれるまで上流からの光信号を下流に出力しないことを特徴とする光伝送装置が提供される。
【００１３】
本発明の他の側面によると、伝送路中に挿入され波長分割多重された光信号を分岐・挿入する光伝送装置において、上流側のノードから当該ノードに伝送されたＷＤＭ信号光のチャネル数に応じて光増幅器の出力が一定になるように前記光増幅器を制御し、前記波長分割多重された光信号のチャネル数が変化したときに出力一定制御を中止し所定の時間が経過した後に前記光増幅器の出力一定制御を再開することを特徴とする光伝送装置が提供される。
【００１４】
本発明の更に他の側面によると、光伝送路に接続された波長分割多重光を分岐・挿入する光伝送装置において、該光伝送路からの光を増幅する第１の光増幅器と、該第１の光増幅器の出力を複数の波長に分ける光デマルチプレクサと、該光デマルチプレクサで分離された波長の光と挿入する光を入力し分岐・挿入か通過を切換える光スイッチと、該光スイッチからの出力を増幅する第２の光増幅器と、上流からの波長分割多重光のチャネル数に従って該第１の光増幅器の出力が一定になるように制御し、該第１の光増幅器の出力が一定に引き込まれるまでの間は該光スイッチによる挿入光以外を遮断する制御装置とを備えた光伝送装置が提供される。
【００１５】
本発明の別の側面によると、光伝送路に接続された波長分割多重光を分岐・挿入する光伝送装置において、該光伝送路からの光を増幅する第１の光増幅器と、該第１の光増幅器の出力を複数の波長に分ける光デマルチプレクサと、該光デマルチプレクサで分離された波長の光と挿入する光を入力し分岐・挿入か通過を切換える光スイッチと、該光スイッチからの出力を増幅する第２の光増幅器と、上流からの波長分割多重光のチャネル数に従って該第１の光増幅器の出力が一定になるように制御し、前記波長分割多重光のチャネル数が変化したときに該第１の光増幅器の出力を一定にする制御を中止し、所定の時間が経過した後に再開する制御装置とを備えた光伝送装置が提供される。
【００１６】
また、本発明によると、複数の光信号を波長分割多重して得られたＷＤＭ信号光に適合する閉ループトポロジーに沿って複数設けて使用される装置が提供される。この装置は、入力した信号光を増幅する第１の光増幅器と、第１の光増幅器から出力した信号光を複数の光信号に分ける光デマルチプレクサと、光デマルチプレクサから出力した複数の光信号に対して動作する光スイッチと、光スイッチから出力した複数の光信号を波長分割多重する光マルチプレクサと、光マルチプレクサから出力された信号光を増幅する第２の光増幅器と、第１及び第２の光増幅器を制御する制御ユニットとを備えている。制御ユニットは、当該ノードから出力されるＷＤＭ信号光のチャネル数を直下流側のノードに伝達する第１の手段と、当該ノードに伝達されたチャネル数に従って第１の光増幅器の出力が一定になるように制御する第２の手段と、第２の手段による制御が収束するまで、当該ノードで加えられる単一又は複数の光信号以外の光信号が当該ノードから出力されなくなるように光スイッチを制御する第３の手段とを含む。
【００１７】
本発明の他の側面によると、複数の光信号を波長分割多重して得られたＷＤＭ信号光に適合する閉ループトポロジーに沿って複数設けて使用される装置が提供される。この装置は、入力した信号光を増幅する第１の光増幅器と、第１の光増幅器から出力した信号光を複数の光信号に分ける光デマルチプレクサと、光デマルチプレクサから出力した複数の光信号に対して動作する光スイッチと、光スイッチから出力した複数の光信号を波長分割多重する光マルチプレクサと、光マルチプレクサから出力された信号光を増幅する第２の光増幅器と、第１及び第２の光増幅器を制御する制御ユニットとを備えている。制御ユニットは、当該ノードから出力されるＷＤＭ信号光のチャネル数を直下流側のノードに伝達する第１の手段と、当該ノードに伝達された前記チャネル数に従って第１の光増幅器の出力が一定になるように制御する第２の手段と、伝送されたチャネル数が変化したときに第２の手段による制御を中断する第３の手段と、第３の手段による中断から複数のノードでそれぞれ異なる時間が経過した後に第２の手段による制御を再開する第４の手段とを含む。
【００１８】
また、本発明によると、複数の光信号を波長分割多重して得られたＷＤＭ信号光に適用可能な光ファイバを用いた閉ループトポロジーを提供するステップと、閉ループトポロジーに沿って各々光増幅器を含む複数のノードを設けるステップと、各ノードを制御するステップとを備えた方法が提供される。制御するステップは、直上流側のノードから当該ノードに伝送されたＷＤＭ信号光のチャネル数に応じて前記光増幅器の出力が一定になるように制御する第１のステップと、第１のステップによる制御が収束するまで、当該ノードで加えられる単一又は複数の光信号以外の光信号が当該ノードから出力されなくなるように光信号を遮断する第２のステップとを含む。
【００１９】
また、本発明によると、複数の光信号を波長分割多重して得られたＷＤＭ信号光に適用可能な光ファイバを用いた閉ループトポロジーと、閉ループトポロジーに沿って設けられ各々光増幅器を含む複数のノードとを備えた装置が提供される。各ノードは、直上流側のノードから当該ノードに伝送されたＷＤＭ信号光のチャネル数に応じて光増幅器の出力が一定になるように前記光増幅器を制御する第１の手段と、第１のステップによる制御が収束するまで、当該ノードで加えられる単一又は複数の光信号以外の光信号が当該ノードから出力されなくなるように光信号を遮断する第２の手段とを含む装置が提供される。
【００２０】
また、本発明によると、複数の光信号を波長分割多重して得られたＷＤＭ信号光に適用可能な光ファイバを用いた閉ループトポロジーを提供するステップと、閉ループトポロジーに沿って各々光増幅器を含む複数のノードを設けるステップと、各ノードを制御するステップとを備えた方法が提供される。制御するステップは、直上流側のノードから当該ノードに伝送されたＷＤＭ信号光のチャネル数に応じて前記光増幅器の出力が一定になるように制御する第１のステップと、伝送されたチャネル数が変化したときに第１のステップによる制御を中断する第２のステップと、第２のステップによる中断から前記複数のノードでそれぞれ異なる時間が経過した後に第１のステップによる制御を再開する第３のステップとを含む。
【００２１】
また、本発明によると、複数の光信号を波長分割多重して得られたＷＤＭ信号光に適用可能な光ファイバを用いた閉ループトポロジーと、閉ループトポロジーに沿って設けられ各々光増幅器を含む複数のノードとを備えた装置が提供される。各ノードは、直上流側のノードから当該ノードに伝送されたＷＤＭ信号光のチャネル数に応じて前記光増幅器の出力が一定になるように光増幅器を制御する第１の手段と、伝送されたチャネル数が変化したときに第１の手段による制御を中断する第２の手段と、第２のステップによる中断から前記複数のノードでそれぞれ異なる時間が経過した後に前記第１の手段による制御を再開する第３の手段とを備えている。
【００２２】
【発明の実施の形態】
以下、添付図面を参照して、本発明の望ましい実施の形態を詳細に説明する。
【００２３】
図１を参照すると、本発明を適用可能な閉ループトポロジーによるネットワークが示されている。このネットワークは、光ファイバ伝送路２によって提供される閉ループトポロジーＣＬＴと、閉ループトポロジーＣＬＴに沿って設けられるノード４とを備えている。ここでは、六つのノード４（＃１〜＃６）が示されている。この閉ループトポロジーＣＬＴは、複数の光信号を波長分割多重して得られたＷＤＭ信号光に適合する。
【００２４】
各ノード４は、光ファイバ伝送路２から入力したＷＤＭ信号光を増幅する第１の光増幅器としてのプリアンプ６と、プリアンプ６から出力した信号光を複数の光信号に分ける光デマルチプレクサ（ＤＭＵＸ）８と、光デマルチプレクサ８から出力した複数の光信号に対して動作する光スイッチ１０と、光スイッチ１０から出力した複数の光信号を波長分割多重する光マルチプレクサ（ＭＵＸ）１２と、光マルチプレクサ１２から出力された信号光を増幅する第２の光増幅器としてのホストアンプ１４とを備えている。
【００２５】
プリアンプ６は、光ファイバ伝送路２での損失を補うための光増幅器であり、伝送路損失の偏差を補償するために、ＡＧＣ（自動利得制御）に加えてＡＬＣ（自動レベル制御）による出力一定制御の機能を備えている。
【００２６】
光スイッチ１０では、当該光信号の波長に応じて、入力から出力へ通過する経路（Ｔｈｒｏｕｇｈ）、ノード４の外部へ出力する分岐の経路（Ｄｒｏｐ）、ノード４の外部から光信号を挿入する経路（Ａｄｄ）の三つの経路が選択される。これらの経路の選択は全ノードで独立して設定可能であり、この設定により任意の光信号を特定のノードから別のノードまで伝送することができる。
【００２７】
ポストアンプ１４はノード４内で損失した分を補償する光増幅器である。一般的には、そのような損失補償に対してはＡＧＣだけで十分であるが、プリアンプ６と同様にＡＬＣの機能が備わっていてもよい。
【００２８】
このようにポストアンプ１４においては、通常は光スイッチ１０によって光信号レベルが補償されているので、ＡＧＣだけでも十分であるが、プリアンプ６においては、伝送路損失の偏差を補償するためにＡＬＣが不可欠である。そして、ＡＬＣでは、プリアンプ６のトータル光出力パワーによってフィードバック制御を行うので、その時点でのＷＤＭ信号光の波長チャネル数に関する情報が必要である。これをより具体的に説明する。
【００２９】
図２の（Ａ）及び（Ｂ）を参照すると、それぞれＡＧＣ及びＡＬＣを行っている状態でＷＤＭ信号光のチャネル数が変化した場合が示されている。図２の（Ａ）に示されるように、利得が３に固定されたＡＧＣでは、チャネル数が２チャネルから３チャネルに増大しても出力レベルは変化しない。これに対して、トータル出力が６に固定されたＡＬＣでは、図２の（Ｂ）に示されるように、チャネル数が２チャネルから３チャネルに変化すると、出力の各チャネルのレベルは低下する。
【００３０】
従って、ＡＬＣを行ってトータル出力を一定に保つためには、ＡＬＣの出力目標値をチャネル数に応じて設定するために、チャネル数に関する情報が必要になる。
【００３１】
いま、図１に示される閉ループトポロジーにおいて、全てのノード４（＃１〜＃６）を同時に立ち上げる場合を考える。この場合各ノード４においては、プリアンプ６のＡＬＣが安定になるまでの時間を必要とする。この際、各ノード４におけるプリアンプ６のＡＬＣが収束していないときには、結果としてそのプリアンプ６に入力されるＷＤＭ信号光のチャネル数が決定されず、うまく立ち上がらないという問題がある。このような問題に対処するために、例えば従来は次のような制御が行われている。
【００３２】
第１に、ＡＬＣを伴わない制御とするものである。利得が一定なＡＧＣのみの光増幅器を用いることで、閉ループトポロジーに対しての制約に対して対応する。しかし、この方法であると、伝送路損失の偏差を許容することができないので、各ノード４の初期立ち上げ時に際しては、保守者による対応（現地調整）が必要になる。
【００３３】
第２に、立ち上げ時に閉ループトポロジーをオープンリング化するものである。初期立ち上げに際して、閉ループトポロジーの一部を切断し、あるいは特定のノード４の立ち上げを行わないようにして、オープンリングネットワークトポロジーとすることで、ＡＬＣを行う光増幅器の入力パワー（チャネル数情報）を決定することができるように対応するものである。しかし、この方法においても、初期立ち上げに際しては固有のノードの設定を行う必要があり、保守者による対応が必要になる。
【００３４】
図３は本発明によるシステムの第１実施形態を示すブロック図である。ここでは、各ノード４の光スイッチ１０の動作に従って、ノード４（＃１）では１チャネルの光信号がドロップされると共に１チャネルの光信号がアッドされ、ノード４（＃２）では２チャネルの光信号がアッドされ、ノード４（＃３）では１チャネルの光信号がドロップされ、ノード４（＃４）では１チャネルの光信号がドロップされ、ノード４（＃５）では１チャネルの光信号がアッドされ、ノード４（＃６）では１チャネルの光信号がドロップされている。
【００３５】
この実施形態は、各ノード４のポストアンプ１４に当該ノード４でアッドされた光信号のみが供給され得るように光スイッチ１０が光路の遮断を行い得るようにしている点で特徴付けられる。
【００３６】
より特定的には、各ノード４の光スイッチ１０の内部には、スイッチ記号で示されるスイッチ機能が提供されており、このスイッチ機能は、システムの通常運用状態ではオン（通過）状態にされ、システムの初期立ち上げに際しては、予め定められた時間だけオフ（遮断）状態にされる。
【００３７】
上述のアッド／ドロップの状態の例示及び光スイッチ１０の動作に伴って、各ノード４における光スイッチ１０の入力及び出力での波長数（チャネル数）は以下のようになる。ノード４（＃１）の入力では、設定情報による波長数は１、スイッチでの規制による波長数は０、出力では、設定情報による波長数は１、スイッチでの規制による波長数は１である。ノード４（＃２）の入力では、設定情報による波長数は１、スイッチでの規制による波長数は１、出力では、設定情報による波長数は３、スイッチでの規制による波長数は２である。ノード４（＃３）の入力では、設定情報による波長数は３、スイッチでの規制による波長数は２、出力では、設定情報による波長数は２、スイッチでの規制による波長数は０である。ノード４（＃４）の入力では、設定情報による波長数は２、スイッチでの規制による波長数は０、出力では、設定情報による波長数は１、スイッチでの規制による波長数は０である。ノード４（＃５）の入力では、設定情報による波長数は１、スイッチでの規制による波長数は０、出力では、設定情報による波長数は２、スイッチでの規制による波長数は１である。ノード４（＃６）の入力では、設定情報による波長数は２、スイッチでの規制による波長数は１、出力では、設定情報による波長数は１、スイッチでの規制による波長数はゼロである。
【００３８】
図３に示されるシステムを立ち上げる場合には、各ノード４の光スイッチ１０を前述したような遮断状態にしてプリアンプ６に入力する信号光の波長数を確定させ、その状態でＡＬＣが安定になるようにする。例えば、ノード４（＃２）では、プリアンプ６のＡＬＣが安定になっていないので光スイッチ１０を遮断状態にする。こうすると、ノード４（＃２）のポストアンプ１４には、そのノード４（＃２）でアッドされている２波長の光信号のみが入力される。この場合、ノード４（＃２）の直下流側のノード４（＃３）では、ノード４（＃２）のポストアンプ１４と同様２波長の光信号のみがノード４（＃３）のプリアンプ６に入力されることになる。
【００３９】
従って、ノード４（＃３）ではプリアンプ６に入力される信号光の波長数が確定するので、その波長数に応じてプリアンプ６のトータル出力パワーを設定し、ＡＬＣを開始する。そのＡＬＣが収束すると、ノード４（＃３）の光スイッチ１０が遮断状態から通過状態にされることとなる。
【００４０】
このように、本実施形態によると、他のノードの状態によらず次ノードのプリアンプの状態によってのみ光スイッチを制限することで、閉ループトポロジーを維持したままＡＬＣによる立ち上げを実現することができる。
【００４１】
図４は図３に示されるシステムの各ノード４のブロック図である。ノード４は、そのノード４の直上流側のノード４からの信号（例えば光信号）に基づき監視情報を得るための光監視回路（ＯＳＣ）１６を有している。この監視情報には、例えば、直上流側のノード４からこのノード４に伝送されてくるＷＤＭ信号光の波長情報（波長数に関する情報）が含まれている。監視回路１６からの波長情報はプリアンプ６、もう一つの光監視回路１８及び制御ユニット２０に送られる。プリアンプ６では、供給された波長情報に基づきＡＬＣにおけるトータル出力光パワーの目標値が設定される。
【００４２】
制御ユニット２０は、プリアンプ６におけるＡＬＣが収束するまで、このノード４でアッドされる単一又は複数の光信号以外の光信号がこのノード４から出力されなくなるように、プリアンプ６及び／又は光スイッチ１０を制御する。
【００４３】
光監視回路１８は、光監視回路１６からの波長情報及び光スイッチ１０又は光マルチプレクサ１２からの波長情報に基づきこのノード４における新たな波長情報を生成し、生成された波長情報を含む監視情報をこのノード４の直下流側のノード４に送り出す。
【００４４】
図５は本発明によるシステムの第２実施形態を示すブロック図である。図３に示されるシステムでは、各ノード４でＡＬＣが収束するまで特定の光信号を遮断するために光スイッチ１０の機能を用いている。これに対して、図５に示されるシステムでは、光スイッチ１０の内部に付加的に設けられている光アッテネータ（ＡＴＴ）を最大減衰量にすることによって、各ノード４のＡＬＣが収束するまで特定の光信号を遮断するようにしている。
【００４５】
一般的に、ＷＤＭが適用される伝送装置では、光信号のレベル差を補償するために、光信号毎に光パワーの減衰量を変化させる光アッテネータが用いられている。ここでは、これらの光アッテネータは光スイッチ１０の内部に設けられているとしたが、光アッテネータは、光デマルチプレクサ８及び光スイッチ１０の間あるいは光スイッチ１０及び光マルチプレクサ１２の間に設けられていてもよい。
【００４６】
このように、本実施形態では、ＷＤＭ信号光の光信号のレベル差を補償するために用いられる光アッテネータを本発明の実施のために兼用しているので、装置構成を簡単にすることができる。また、図３に示される実施形態と対比して、光スイッチ１０の制御を簡単に行うことができる。
【００４７】
このように、図３及び図５の実施形態では、各ノード４におけるＡＬＣが収束するまで（例えば、ＡＬＣが開始されてから予め定められた時間が経過するまで）、そのノード４でアッドされる単一又は複数の光信号以外の光信号がそのノード４から出力されなくなるように光信号が遮断される。
【００４８】
これに対して、以下で説明する実施形態では、各ノード４において、入力するＷＤＭ信号光の波長チャネル数が変化したときにＡＬＣを中断し、この中断からノード４毎にそれぞれ異なる時間が経過した後にＡＬＣを再開するようにしている。具体的には次の通りである。
【００４９】
図６は本発明によるシステムの第３実施形態を示すブロック図、図７は図６に示される各ノード４の構成例を示すブロック図である。図７に示されるように、この実施形態で使用されるノード４は、図４に示される実施形態と対比して、制御ユニット２０（図４参照）に代えて乱数発生器２２及びステートマシン２４を有している点で特徴付けられる。
【００５０】
乱数発生器２２は、光監視回路１６からの波長情報に基き、そのノード４に入力されるＷＤＭ信号光の波長数が変化したときに、その時点からのランダムな時間を計算するための乱数データを生成する。ステータスマシン２４は、前述の波長数の変化と同時にプリアンプ６におけるＡＬＣを中断し、乱数発生器２０から供給される乱数データに従って計算される時間経過した後にそのＡＬＣを再開する。
【００５１】
例えば、ステータスマシン２４は、プリアンプ６におけるＡＬＣ中断時には、プリアンプ６においてＡＧＣがなされるように切り換えを行う。ＡＧＣは、プリアンプ６の入力レベル及び出力レベルを検知し、これらの比が一定になるようにポンプ条件等を制御することで実施可能である。また、ＡＬＣは、プリアンプ６の出力レベルを検知し、その値が一定になるようにポンプ条件等を制御することで実施可能である。
【００５２】
図６に示されるシステムの初期立ち上げを行う場合、各ノード４で独立してプリアンプ６のＡＬＣを立ち上げようと制御を開始する。ＡＬＣが安定になるまでは正常に光出力が安定していないので、波長数情報は零となる。このため、プリアンプ６は当該ノード４でアッドされている光信号の波長数でのＡＬＣを実行していることになる。
【００５３】
ところが、あるノード（例えばノード４（＃２））でプリアンプ６がＡＬＣの立ち上げを完了すると、そのノード４（＃２）では光信号の通過設定があるので、ポストアンプ１４に入力する光信号の波長数が変化してしまう。すると、直下流側のノード（ここではノード４（＃３））のプリアンプ６に入力する光信号の数が変化してしまう。プリアンプ６でＡＬＣを行うためには、入力信号光の波長数が確定している必要があるので、そのままノード４（＃３）でＡＬＣを立ち上げようとすると、誤った光出力レベルとなってしまう。
【００５４】
本実施形態では、波長数が変化したときには一時的にプリアンプ６におけるＡＬＣをＡＧＣに切換えて、再度ＡＬＣを新規に立ち上げるようにしている。しかし、この切り換え及び新規の立ち上げを複数のノード４で同時に行うと、結果としてＡＬＣが永久に収束することができないという事態が想定される。そこで、本実施形態では、複数のノード４で同じタイミングでＡＬＣの新規立ち上げがなされないようにするために、ＡＬＣが中断されてから複数のノード４で異なる時間が経過した後にＡＬＣの新規立ち上げを行うようにしているのである。
【００５５】
これにより閉ループトポロジーにおける装置の初期立ち上げを安定に実施することができ、本発明の目的が達成される。
【００５６】
図８は本発明によるシステムの第４実施形態を示すブロック図である。図６に示される実施形態では、プリアンプ６に入力する信号光の波長数が変化したときに、プリアンプ６の制御形態の設定を一時的にＡＬＣからＡＧＣに変更している。これに対して、本実施形態では、プリアンプ６に入力する信号光の波長数が変化したときに、プリアンプ６の出力それ自体が遮断されるようにプリアンプ６を制御するようにしている。
【００５７】
このような制御によっても、閉ループトポロジーにおける装置の初期立ち上げを安定に実施することができ、本発明の目的が達成される。
【００５８】
図９は本発明によるシステムの第５実施形態を示すブロック図、図１０は図９に示される各ノード４の構成例を示すブロック図である。
【００５９】
図６及び図７の実施形態では、各ノード４のプリアンプ６でＡＬＣが中断されてから、複数のノード４で異なる時間が経過した後にＡＬＣの新規立ち上げを行うようにするために、乱数データに従ってその経過時間を得るようにしている。
【００６０】
これに対して本実施形態では、複数のノード４で異なる時間が経過した後にＡＬＣの新規立ち上げを行うために、本実施形態では、図１０に示されるように、乱数発生器２２に代えて固有値発生器２６を用いて制御ユニットを構成している。
【００６１】
固有値発生器２６は、光監視回路１６からの波長情報に基き、そのノード４に入力されるＷＤＭ信号光の波長数が変化したときに、その時点からのそのノードに固有な時間を計算するための固有値データを生成する。ステータスマシン２４は、前述の波長数の変化と同時にプリアンプ６におけるＡＬＣを中断し、固有値発生器２６から供給される固有値データに従って計算される時間経過した後にそのＡＬＣを再開する。例えば、ステータスマシン２４は、プリアンプ６におけるＡＬＣ中断時には、プリアンプ６の出力が遮断されるように切り換えを行う。
【００６２】
図９に示されるシステムの初期立ち上げを行う場合、各ノード４で独立してプリアンプ６のＡＬＣを立ち上げようと制御を開始する。ＡＬＣが安定になるまでは正常に光出力が安定していないので、波長数情報は零となる。このため、プリアンプ６は当該ノード４でアッドされている光信号の波長数でのＡＬＣを実行していることになる。
【００６３】
ところが、あるノード（例えばノード４（＃２））でプリアンプ６がＡＬＣの立ち上げを完了すると、そのノード４（＃２）では光信号の通過設定があるので、ポストアンプ１４に入力する光信号の波長数が変化してしまう。すると、直下流側のノード（ここではノード４（＃３））のプリアンプ６に入力する光信号の数が変化してしまう。プリアンプ６でＡＬＣを行うためには、入力信号光の波長数が確定している必要があるので、そのままノード４（＃３）でＡＬＣを立ち上げようとすると、誤った光出力レベルとなってしまう。
【００６４】
本実施形態では、波長数が変化したときには一時的にプリアンプ６におけるＡＬＣを遮断状態に切換えて、再度ＡＬＣを新規に立ち上げるようにしている。しかし、この切り換え及び新規の立ち上げを複数のノード４で同時に行うと、結果としてＡＬＣが永久に収束することができないという事態が想定される。そこで、本実施形態では、複数のノード４で同じタイミングでＡＬＣの新規立ち上げがなされないようにするために、ＡＬＣが中断されてから複数のノード４で異なる時間が経過した後にＡＬＣの新規立ち上げを行うようにしているのである。
【００６５】
これにより閉ループトポロジーにおける装置の初期立ち上げを安定に実施することができ、本発明の目的が達成される。
【００６６】
本発明は以下の付記を含むものである。
【００６７】
（付記１）　複数の光信号を波長分割多重して得られたＷＤＭ信号光に適合する閉ループトポロジーに沿って複数設けて使用される装置であって、
入力した信号光を増幅する第１の光増幅器と、
前記第１の光増幅器から出力した信号光を複数の光信号に分ける光デマルチプレクサと、
前記光デマルチプレクサから出力した複数の光信号に対して動作する光スイッチと、
前記光スイッチから出力した複数の光信号を波長分割多重する光マルチプレクサと、
前記光マルチプレクサから出力された信号光を増幅する第２の光増幅器と、
前記第１及び第２の光増幅器を制御する制御ユニットとを備え、
前記制御ユニットは、当該ノードから出力されるＷＤＭ信号光のチャネル数を直下流側のノードに伝達する第１の手段と、当該ノードに伝達された前記チャネル数に従って前記第１の光増幅器の出力が一定になるように制御する第２の手段と、前記第２の手段による制御が収束するまで、当該ノードで加えられる単一又は複数の光信号以外の光信号が当該ノードから出力されなくなるように前記光スイッチを制御する第３の手段とを含む装置。
【００６８】
（付記２）　前記第３の手段は前記光スイッチのパスを切換える手段を含む付記１記載の装置。
【００６９】
（付記３）　前記第３の手段は前記光スイッチを通過する光信号を減衰させる手段を含む付記１記載の装置。
【００７０】
（付記４）　複数の光信号を波長分割多重して得られたＷＤＭ信号光に適合する閉ループトポロジーに沿って複数設けて使用される装置であって、
入力した信号光を増幅する第１の光増幅器と、
前記第１の光増幅器から出力した信号光を複数の光信号に分ける光デマルチプレクサと、
前記光デマルチプレクサから出力した複数の光信号に対して動作する光スイッチと、
前記光スイッチから出力した複数の光信号を波長分割多重する光マルチプレクサと、
前記光マルチプレクサから出力された信号光を増幅する第２の光増幅器と、
前記第１及び第２の光増幅器を制御する制御ユニットとを備え、
前記制御ユニットは、当該ノードから出力されるＷＤＭ信号光のチャネル数を直下流側のノードに伝達する第１の手段と、当該ノードに伝達された前記チャネル数に従って前記第１の光増幅器の出力が一定になるように制御する第２の手段と、前記伝送されたチャネル数が変化したときに前記第２の手段による制御を中断する第３の手段と、前記第３の手段による中断から前記複数のノードでそれぞれ異なる時間が経過した後に前記第２の手段による制御を再開する第４の手段とを含む装置。
【００７１】
（付記５）　前記第３の手段は前記第１の光増幅器の出力を遮断する手段を含む付記４記載の装置。
【００７２】
（付記６）　前記第３の手段は前記第１の光増幅器の制御を自動利得制御に切換える手段を含む付記４記載の装置。
【００７３】
（付記７）　前記第４の手段は前記異なる時間を得るための乱数発生器を含む付記４記載の装置。
【００７４】
（付記８）　前記第４の手段は前記異なる時間を得るための固有値発生器を含む付記４記載の装置。
【００７５】
（付記９）　前記固有値発生器は前記複数のノードで異なる値を記憶している付記８記載の装置。
【００７６】
（付記１０）　複数の光信号を波長分割多重して得られたＷＤＭ信号光に適用可能な光ファイバを用いた閉ループトポロジーを提供するステップと、
前記閉ループトポロジーに沿って各々光増幅器を含む複数のノードを設けるステップと、
各ノードを制御するステップとを備え、
前記制御するステップは、
直上流側のノードから当該ノードに伝送されたＷＤＭ信号光のチャネル数に応じて前記光増幅器の出力が一定になるように制御する第１のステップと、
前記第１のステップによる制御が収束するまで、当該ノードで加えられる単一又は複数の光信号以外の光信号が当該ノードから出力されなくなるように光信号を遮断する第２のステップとを含む方法。
【００７７】
（付記１１）　前記第２のステップは前記複数の光信号に対して動作する光スイッチを提供するステップを含む付記１０記載の方法。
【００７８】
（付記１２）　前記第２のステップは前記複数の光信号を減衰させる減衰器を提供するステップを含む付記１０記載の方法。
【００７９】
（付記１３）　複数の光信号を波長分割多重して得られたＷＤＭ信号光に適用可能な光ファイバを用いた閉ループトポロジーと、
前記閉ループトポロジーに沿って設けられ各々光増幅器を含む複数のノードとを備え、
各ノードは、
直上流側のノードから当該ノードに伝送されたＷＤＭ信号光のチャネル数に応じて前記光増幅器の出力が一定になるように前記光増幅器を制御する第１の手段と、
前記第１の手段による制御が収束するまで、当該ノードで加えられる単一又は複数の光信号以外の光信号が当該ノードから出力されなくなるように光信号を遮断する第２の手段とを含む装置。
【００８０】
（付記１４）　前記第２の手段は前記複数の光信号に対して動作する光スイッチを含む付記１３記載の装置。
【００８１】
（付記１５）　前記第２の手段は前記複数の光信号を減衰させる減衰器を含む付記１３記載の装置。
【００８２】
（付記１６）　複数の光信号を波長分割多重して得られたＷＤＭ信号光に適用可能な光ファイバを用いた閉ループトポロジーを提供するステップと、
前記閉ループトポロジーに沿って各々光増幅器を含む複数のノードを設けるステップと、
各ノードを制御するステップとを備え、
前記制御するステップは、
直上流側のノードから当該ノードに伝送されたＷＤＭ信号光のチャネル数に応じて前記光増幅器の出力が一定になるように制御する第１のステップと、
前記伝送されたチャネル数が変化したときに前記第１のステップによる制御を中断する第２のステップと、
前記第２のステップによる中断から前記複数のノードでそれぞれ異なる時間が経過した後に前記第１のステップによる制御を再開する第３のステップとを備えた方法。
【００８３】
（付記１７）　前記第２のステップは前記光増幅器の出力を遮断するステップを含む付記１６記載の方法。
【００８４】
（付記１８）　前記第２のステップは前記光増幅器の制御を自動利得制御に切換えるステップを含む付記１６記載の方法。
【００８５】
（付記１９）　前記第３のステップは前記異なる時間を得るための乱数発生器を提供するステップを含む付記１６記載の方法。
【００８６】
（付記２０）　前記第３のステップは前記異なる時間を得るための固有値発生器を提供するステップを含む付記１６記載の方法。
【００８７】
（付記２１）　前記固有値発生器は前記複数のノードで異なる値を記憶している付記２０記載の方法。
【００８８】
（付記２２）　複数の光信号を波長分割多重して得られたＷＤＭ信号光に適用可能な光ファイバを用いた閉ループトポロジーと、
前記閉ループトポロジーに沿って設けられ各々光増幅器を含む複数のノードとを備え、
各ノードは、
直上流側のノードから当該ノードに伝送されたＷＤＭ信号光のチャネル数に応じて前記光増幅器の出力が一定になるように前記光増幅器を制御する第１の手段と、
前記伝送されたチャネル数が変化したときに前記第１の手段による制御を中断する第２の手段と、
前記第２の手段による中断から前記複数のノードでそれぞれ異なる時間が経過した後に前記第１の手段による制御を再開する第３の手段とを備えた装置。
【００８９】
（付記２３）　前記第２の手段は前記光増幅器の出力を遮断する手段を含む付記２２記載の装置。
【００９０】
（付記２４）　前記第２の手段は前記光増幅器の制御を自動利得制御に切換える手段を含む付記２２記載の装置。
【００９１】
（付記２５）　前記第３の手段は前記異なる時間を得るための乱数発生器を含む付記２２記載の装置。
【００９２】
（付記２６）　前記第３の手段は前記異なる時間を得るための固有値発生器を含む付記２２記載の装置。
【００９３】
（付記２７）　前記固有値発生器は前記複数のノードで異なる値を記憶している付記２６記載の装置。
【００９４】
（付記２８）　伝送路中に挿入され波長分割多重された光信号を分岐・挿入する光伝送装置において、
直上流側のノードから当該ノードに伝送されたＷＤＭ信号光のチャネル数に応じて光増幅器の出力が一定になるように制御し、
前記光増幅器の出力が一定に引き込まれるまで上流からの光信号を下流に出力しないことを特徴とする光伝送装置。
【００９５】
（付記２９）　伝送路中に挿入され波長分割多重された光信号を分岐・挿入する光伝送装置において、
上流側のノードから当該ノードに伝送されたＷＤＭ信号光のチャネル数に応じて光増幅器の出力が一定になるように前記光増幅器を制御し、
前記波長分割多重された光信号のチャネル数が変化したときに出力一定制御を中止し所定の時間が経過した後に前記光増幅器の出力一定制御を再開することを特徴とする光伝送装置。
【００９６】
（付記３０）　光伝送路に接続された波長分割多重光を分岐・挿入する光伝送装置において、
該光伝送路からの光を増幅する第１の光増幅器と、
該第１の光増幅器の出力を複数の波長に分ける光デマルチプレクサと、
該光デマルチプレクサで分離された波長の光と挿入する光を入力し分岐・挿入か通過を切換える光スイッチと、
該光スイッチからの出力を増幅する第２の光増幅器と、
上流からの波長分割多重光のチャネル数に従って該第１の光増幅器の出力が一定になるように制御し、該第１の光増幅器の出力が一定に引き込まれるまでの間は該光スイッチによる挿入光以外を遮断する制御装置とを備えた光伝送装置。
【００９７】
（付記３１）　光伝送路に接続された波長分割多重光を分岐・挿入する光伝送装置において、
該光伝送路からの光を増幅する第１の光増幅器と、
該第１の光増幅器の出力を複数の波長に分ける光デマルチプレクサと、
該光デマルチプレクサで分離された波長の光と挿入する光を入力し分岐・挿入か通過を切換える光スイッチと、
該光スイッチからの出力を増幅する第２の光増幅器と、
上流からの波長分割多重光のチャネル数に従って該第１の光増幅器の出力が一定になるように制御し、前記波長分割多重光のチャネル数が変化したときに該第１の光増幅器の出力を一定にする制御を中止し、所定の時間が経過した後に再開する制御装置とを備えた光伝送装置。
【００９８】
【発明の効果】
以上説明したように、本発明によると、ノードの起動などが容易な光伝送装置の提供が可能になるという効果が生じる。
【図面の簡単な説明】
【図１】図１は本発明を適用可能な閉ループトポロジーによるネットワークを示すブロック図である。
【図２】図２の（Ａ）及び（Ｂ）はそれぞれＡＧＣ及びＡＬＣを行っている状態でＷＤＭ信号光のチャネル数が変化した場合を説明するための図である。
【図３】図３は本発明によるシステムの第１実施形態を示すブロック図である。
【図４】図４は図３に示される各ノードの構成例を示すブロック図である。
【図５】図５は本発明によるシステムの第２実施形態を示すブロック図である。
【図６】図６は本発明によるシステムの第３実施形態を示すブロック図である。
【図７】図７は図６に示される各ノードの構成例を示すブロック図である。
【図８】図８は本発明によるシステムの第４実施形態を示すブロック図である。
【図９】図９は本発明によるシステムの第５実施形態を示すブロック図である。
【図１０】図１０は図９に示される各ノードの構成例を示すブロック図である。
【符号の説明】
２　光ファイバ伝送路（閉ループトポロジー）
４　ノード
６　第１の光増幅器
８　光デマルチプレクサ
１０　光スイッチ
１２　光マルチプレクサ
１４　第２の光マルチプレクサ
１６，１８　光監視回路
２０　制御ユニット
２２　乱数発生器
２４　ステートマシン
２６　固有値発生回路
【図１】
2004056245.tif 000003
【図２】
2004056245.tif 000004
【図３】
2004056245.tif 000005
【図４】
2004056245.tif 000006
【図５】
2004056245.tif 000007
【図６】
2004056245.tif 000008
【図７】
2004056245.tif 000009
【図８】
2004056245.tif 000010
【図９】
2004056245.tif 000011
【図１０】
2004056245.tif 000012